(57)【特許請求の範囲】
【請求項１】
仕様の異なる複数の光ディスクを記録あるいは再生する光ピックアップ装置において、
第１の波長の光を出射する第１の発光素子と、
前記第１の発光素子に対して前記光ディスクの半径方向に並列して配置され、前記第１の波長とは異なる第２の波長の光を出射する第２の発光素子と、
前記第１又は第２の波長の光を受光する受光素子と、
前記第１及び第２の波長の光を集光する対物レンズと、
前記対物レンズを駆動する駆動手段と、
前記第１の波長の光の光軸に前記対物レンズの光軸を一致させ、前記第２の波長の光を使用するときには、前記対物レンズの光軸と前記第２の波長の光の光軸との距離を補償する補償指令を前記駆動手段に与える光軸間距離補償手段と
を有することを特徴とする光ピックアップ装置。
【請求項２】
前記補償指令を、あらかじめ測定した、前記対物レンズの光軸と前記他方の波長の光の光軸を一致するように前記対物レンズを駆動したときの補償信号とする請求項１記載の光ピックアップ装置。
【請求項３】
仕様の異なる複数の光ディスクを記録あるいは再生する光ピックアップ装置を備えた光ディスク装置において、
上記光ピックアップ装置は、
第１の波長の光を出射する第１の発光素子と、
前記第１の発光素子に対して前記光ディスクの半径方向に並列して配置され、前記第１の波長とは異なる第２の波長の光を出射する第２の発光素子と、
前記第１又は第２の波長の光を受光する受光素子と、
前記第１及び第２の波長の光を集光する対物レンズと、
前記対物レンズを駆動する駆動手段と、
前記第１の波長の光の光軸に前記対物レンズの光軸を一致させ、前記第２の波長の光を使用するときには、前記対物レンズの光軸と前記第２の波長の光の光軸との距離を補償する補償指令を前記駆動手段に与える光軸間距離補償手段と
を有することを特徴とする光ディスク装置。
【請求項４】
仕様の異なる複数の光ディスクを記録あるいは再生する光ピックアップ装置において、
第１の波長の光を出射する第１の発光素子と、
前記第１の発光素子に対して前記光ディスクの半径方向に並列して配置され、前記第１の波長とは異なる第２の波長の光を出射する第２の発光素子と、
前記第１又は第２の波長の光を受光する受光素子と、
前記第１の波長の光の光軸及び前記第２の波長の光の光軸のいずれにも光軸を一致させることなく配置されてなる前記第１及び第２の波長の光を集光する対物レンズと、
前記対物レンズを駆動する駆動手段とを有し、
前記第１の波長の光を使用するときには、前記対物レンズの光軸と前記第１の波長の光の光軸との距離を補償する補償指令を前記駆動手段に与え、前記第２の波長の光を使用するときには、前記対物レンズの光軸と前記第２の波長の光の光軸との距離を補償する補償指令を前記駆動手段に与える光軸間距離補償手段と
を有することを特徴とする光ピックアップ装置。
【請求項５】
前記補償指令を、あらかじめ測定した、前記対物レンズの光軸と前記他方の波長の光の光軸を一致するように前記対物レンズを駆動したときの補償信号とする請求項４記載の光ピックアップ装置。
【請求項６】
仕様の異なる複数の光ディスクを記録あるいは再生する光ピックアップ装置を備えた光ディスク装置において、
上記光ピックアップ装置は、
第１の波長の光を出射する第１の発光素子と、
前記第１の発光素子に対して前記光ディスクの半径方向に並列して配置され、前記第１の波長とは異なる第２の波長の光を出射する第２の発光素子と、
前記第１又は第２の波長の光を受光する受光素子と、
前記第１の波長の光の光軸及び前記第２の波長の光の光軸のいずれにも光軸を一致させることなく配置されてなる前記第１及び第２の波長の光を集光する対物レンズと、
前記対物レンズを駆動する駆動手段とを有し、
前記第１の波長の光を使用するときには、前記対物レンズの光軸と前記第１の波長の光の光軸との距離を補償する補償指令を前記駆動手段に与え、前記第２の波長の光を使用するときには、前記対物レンズの光軸と前記第２の波長の光の光軸との距離を補償する補償指令を前記駆動手段に与える光軸間距離補償手段と
を有することを特徴とする光ディスク装置。
【発明の詳細な説明】
【０００１】
【発明の属する技術分野】
本発明は複数の使用の異なる光ディスクを再生あるいは記録する光ピックアップ装置および光ディスク装置に関し、特に異なる光の波長を使用した光ピックアップ装置および光ディスク装置に関する。
【０００２】
【従来の技術】
近年、光ディスク装置の普及に伴い、装置の低コスト化および高信頼性化への要求が高まっている。このため、光学ピックアップ部の部品点数を削減し、部品コストを抑え、製造時の調整工程を簡略化し、工程および市場における不良発生率を低減する必要がある。特に、発光素子と受光素子を単一パッケージ内に集積化した集積光学素子は、発光点と受光点を独立に調整する必要がないため、低コストはもちろん、製造、調整の容易さ、信頼性において有利な点が多い。
【０００３】
例えば、最も普及しているＣＤ（Compact Disc）用には、レーザカプラをはじめとして数種類の集積光学素子が開発、実用化されている。また、さらに記録容量を高めたＤＶＤ（Digital Versatile Disc）が実用化され、ビデオディスク（ＤＶＤ−ｖｉｄｅｏ）やコンピュータ用記憶装置（ＤＶＤ−ＲＯＭ）として普及率が高まりつつあり、このＤＶＤ用光学ピックアップについてもＣＤと同様、部品点数の削減が行われている。
【０００４】
ところで、広く普及しているＣＤに対し、その上位機種であるＤＶＤは実用化されて間もないことから、ＣＤとＤＶＤをともに再生可能な再生装置が求められている。ＤＶＤ再生には波長６５０ｎｍのレーザ光源が必要だが、ＣＤ再生には波長７８０ｎｍの光源が用いられており、特に追記型ＣＤ（ＣＤ−Ｒ）は記録膜に波長依存性の高い有機色素を用いているため、波長７８０ｎｍでなければ再生できない。このため、ＣＤ／ＤＶＤ互換再生装置には、２波長の光源を用いた光学ピックアップが必要である。
【０００５】
このＣＤ／ＤＶＤ互換用２波長光ピックアップにおいても、低コスト化、高信頼性化を達成するために部品点数の削減の要請があり、光路の一部共用、対物レンズの共通化などが実施されている。またＣＤのレーザカプラと同様に、光学系の集積化を目標として波長７８０ｎｍおよび６５０ｎｍの２つのレーザダイオードを搭載し、受光素子を含めてパッケージ化した集積光学素子の開発も行われている。
【０００６】
図６は、このような集積光学素子を用いた２波長光ピックアップ装置の光学系の構成例を示す図である。図６の２波長ピックアップ装置２０では、２波長レーザカプラ２１は、２つの異なる波長のレーザ光源とそれぞれに対応する受光素子を一体に備えている。また対物レンズ２５は、フォーカシングおよびトラッキング調整のために、ディスク面に垂直な方向（Ｚ方向）およびディスクの半径方向（Ｙ方向）に駆動される。２波長レーザカプラ２１から出射した光は、ウィンドウガラス２２を通り、コリメータレンズ２３で平行光にされてプリズム２４で反射され、対物レンズ２５によって光ディスク２６の信号記録面２６ａに集光される。信号記録面２６ａで反射された光は再び対物レンズ２５、プリズム２４、コリメータレンズ２３、ウィンドウガラス２２を介して２波長レーザカプラ２１に設けられた受光素子に入射する。
【０００７】
次に、２波長レーザカプラ２１の詳細について述べる。図７は、図６の２波長レーザカプラの拡大図である。第１の光源２１２ａ（ここではＤＶＤ用：波長６５０ｎｍ）および第２の光源２１２ｂ（ここではＣＤ用：波長７８０ｎｍ）から出射された光は、マイクロプリズム２１１に設けられたビームスプリッタ２１１ａによって反射され、ディスク方向に向かう。ディスク上で反射されて返ってきた光はビームスプリッタ２１１ａを透過し、マイクロプリズム２１１の下面に形成されたハーフミラー２１１ｂによって透過光と反射光に分岐される。透過光はそれぞれの前側の受光部２１３ａおよび２１４ａによって受光される。反射光は再びマイクロプリズム２１１の上面に形成された高反射膜２１１ｃによって反射されて、それぞれの後側の受光部２１３ｂおよび２１４ｂによって受光される。
【０００８】
上記の２波長レーザカプラのような集積光学素子を用いると、発光および受光素子から対物レンズに至るまでのすべての光学部品を共用することができるため、部品点数はＣＤ等の単一フォーマット用光学系とほぼ同じになり、従来のＣＤ／ＤＶＤ共用光学系と比較して飛躍的に部品点数を削減することができる。
【０００９】
【発明が解決しようとする課題】
しかし、図７の２波長レーザカプラを使用した光学系では、２つのレーザ光源が並列に配置されているため、一方もしくは両方の光源が、対物レンズ中心を基準とした光軸と一致しない。光軸不一致の状態でディスクに反射した反射光は、正確に受光部に入射しない。この場合、光学系の軸外収差による再生信号の劣化や、トラッキングエラー信号のオフセット、対物レンズのディスク平行方向への移動およびディスク半径方向の傾きによるＲＦ（Radio Frequency）信号レベル変化のアンバランス等が生じ、さまざまな環境下におけるＣＤおよびＤＶＤディスクの安定した記録あるいは再生が困難となり、装置の信頼性上問題となる。
【００１０】
この問題の解決方法として、光源から対物レンズまでの間にホログラム等の回折素子を設けて、複数光源の、対物レンズ側からみた仮想発光点を１点にしてしまう方法がある。図８は、２波長光ピックアップ装置におけるレーザ光軸とホログラムの関係を示す図である。ホログラム８０は波長選択性のある回折素子で、レーザ光源と対物レンズまでの光路中に配置される。図８のように、第１の光源８１が対物レンズの光軸８３と一致している場合、第１の光源８１からの光はホログラム８０を透過して０次光光路８１Ｌを通るが、第２の光源８２からの光はホログラム８０で回折され、１次光光路８２Ｌを通る。これにより第２の光源８２からの光も対物レンズの光軸８３と一致させることができ、光源の位置による光軸ずれを解消することができる。しかしこの方法では、ホログラム等の配置により光学部品点数の増大を招き、またホログラムの位置を調整する工程が新たに必要になる。したがってコストの上昇、製造調整過程の複雑化および信頼性の低下を招くため、光学系集積化の当初目的を達成することは困難である。
【００１１】
本発明はこのような点に鑑みてなされたものであり、簡単な装置構成で異なる仕様の光ディスクの記録あるいは再生可能な光ピックアップ装置を提供することを目的とする。
【００１２】
また、本発明の他の目的は簡単な装置構成で異なる仕様の光ディスクの記録あるいは再生可能な光ディスク装置を提供することである。
【００１３】
【課題を解決するための手段】
上述の目的を達成するために提案される本発明は、仕様の異なる複数の光ディスクを記録あるいは再生する光ピックアップ装置において、第１の波長の光を出射する第１の発光素子と、前記第１の発光素子に対して前記光ディスクの半径方向に並列して配置され、前記第１の波長とは異なる第２の波長の光を出射する第２の発光素子と、前記第１又は第２の波長の光を受光する受光素子と、前記第１及び第２の波長の光を集光する対物レンズと、前記対物レンズを駆動する駆動手段と、前記第１の波長の光の光軸に前記対物レンズの光軸を一致させ、前記第２の波長の光を使用するときには、前記対物レンズの光軸と前記第２の波長の光の光軸との距離を補償する補償指令を前記駆動手段に与える光軸間距離補償手段とを有することを特徴とする。
【００１４】
このような光ピックアップ装置では、第２の波長の光を使用してディスクの記録あるいは再生をするときは、第２の波長の光の光軸と対物レンズ光軸との距離を補償する補償指令が与えられるので、光軸が対物レンズの中心に一致し、仕様の異なる光ディスクの記録あるいは再生が精度よくできる。
【００１５】
また、本発明は、仕様の異なる複数の光ディスクを記録あるいは再生する光ピックアップ装置において、第１の波長の光を出射する第１の発光素子と、前記第１の発光素子に対して前記光ディスクの半径方向に並列して配置され、前記第１の波長とは異なる第２の波長の光を出射する第２の発光素子と、前記第１又は第２の波長の光を受光する受光素子と、前記第１の波長の光の光軸及び前記第２の波長の光の光軸のいずれにも光軸を一致させることなく配置されてなる前記第１及び第２の波長の光を集光する対物レンズと、前記対物レンズを駆動する駆動手段とを有し、前記第１の波長の光を使用するときには、前記対物レンズの光軸と前記第１の波長の光の光軸との距離を補償する補償指令を前記駆動手段に与え、前記第２の波長の光を使用するときには、前記対物レンズの光軸と前記第２の波長の光の光軸との距離を補償する補償指令を前記駆動手段に与える光軸間距離補償手段とを有することを特徴とする。
【００１６】
このような光ピックアップ装置では、ディスクの記録あるいは再生をするごとに、使用する光の光軸と対物レンズ光軸との距離を補償する補償指令が与えられるので、光軸が対物レンズの中心に一致し、使用の異なる光ディスクの記録あるいは再生が精度よくできる。
【００１７】
【発明の実施の形態】
以下、本発明の実施の形態を図面を参照して説明する。
図１は、本発明の光ディスク装置の主要部の構成を示す図である。
【００１８】
２波長光ピックアップ装置１０は、２つの異なる波長のレーザ光源１１２ａおよび１１２ｂと、光ディスク１によるそれぞれの反射光を受光する受光部１１３および１１４を備えている。２つのレーザ光源１１２ａおよび１１２ｂは、光ディスク１の半径方向に平行になるように配置されている。対物レンズ１５は、駆動手段１５ａによってディスク面に垂直な方向およびディスク半径方向に駆動され、フォーカスエラー補正およびトラッキングエラー補正を行う。
【００１９】
第１の光源１１２ａを出射した光は、ビームスプリッタ１１１ａで反射され、コリメータレンズ１３で平行光になり、プリズム１４で反射されて、対物レンズ１５によって光ディスク１上の信号記録面１ａに集光される。信号記録面１ａで反射された光は、対物レンズ１５、プリズム１４、コリメータレンズ１３を介して、ビームスプリッタ１１１ａを透過し、受光部１１３で受光される。第２の光源１１２ｂを出射した光も同様な光路を通り、受光部１１４で受光される。
【００２０】
この光ディスク装置では、２つのレーザ光源１１２ａおよび１１２ｂは並列に配置されているため、第１の光源１１２ａからの光の光軸を対物レンズ１５の中心を一致させた場合、第２の光源１１２ｂからの光は光軸不一致の状態で対物レンズ１５に入射する。このため、第２の光源１１２ｂからの光を使用するときは、光軸間距離補償手段１６からの補償指令により、光軸間の距離を補償するよう駆動手段１５ａによって対物レンズ１５をディスク半径方向に駆動する。
【００２１】
また、２つの光源１１２ａおよび１１２ｂからの光の光軸の中間に対物レンズ１５の中心がくるよう配置した場合は、それぞれの光を使用するごとに、補償手段の指令により、光軸間の距離を補償するよう駆動手段によって対物レンズ１５をディスク半径方向に駆動する。
【００２２】
次に、本発明の光ディスク装置の制御系について説明する。
図２は、本発明の光ディスク装置の制御系のブロック図である。光ディスク装置１００は、スピンドルモータ２によって回転駆動される光ディスク１と、２波長光ピックアップ装置１０と、２派長光ピックアップ装置１０を駆動する送りモータ３とを備えている。光ディスク１としては、複数の種類の光ディスクを選定して、それぞれ記録および再生、または再生のみできる。システムコントローラ７は、ディスクの種類に応じて、２波長光ピックアップ装置１０の複数のレーザ光源のうち１つを選択する指令を、信号変復調器６およびプリアンプ４を介して２波長光ピックアップ装置１０に送出するとともに、サーボ制御回路５にレーザ光と対物レンズの光軸間距離を補償するよう補償指令を送出する。
【００２３】
２波長光ピックアップ装置１０は、信号変復調器６の指令にしたがって、回転する光ディスク１の信号記録面に対して光照射を行い、情報の記録がされる。また、２波長光ピックアップ装置１０は、光ディスク１の信号記録面からの反射光束に基づいて、後述するような光ビームを検出し、各光ビームに対応する信号をプリアンプ４に供給する。
【００２４】
プリアンプ４は、各ビームに対応する信号に基づいてフォーカスエラー信号、トラッキングエラー信号、ＲＦ信号等を生成する。再生対象とされる記録媒体の種類に応じて、サーボ制御回路５と信号変復調器６により、これらの信号に基づく復調および誤り訂正等の所定の処理が行われる。
【００２５】
図３は本発明の光ピックアップ装置の光学系の構成例を示す図である。また図４は、図３の２波長レーザカプラ１１の拡大図を示す図である。
２波長ピックアップ装置１０で、２波長レーザカプラ１１は、２つの異なる波長のレーザ光源１１２ａおよび１１２ｂと、それぞれに対応する受光素子１１３ａと１１３ｂおよび１１４ａと１１４ｂを一体に備えている。２つのレーザ光源は、光ディスク１の半径方向と平行になるように配置されている。つまり、２つのレーザ光がディスクの信号記録面１ａ上に形成するスポットは、ディスクの半径方向すなわちディスクのトラックに垂直な方向に並ぶ。また対物レンズ１５は、２つのレーザ光のうち第１の光源１１２ａからの光と光軸が一致している。この対物レンズ１５は、フォーカシングおよびトラッキング調整のために、ディスク面に垂直方向（Ｚ方向）およびディスクの半径方向（Ｙ方向）に駆動される。
【００２６】
第１の光源１１２ａから出射した光は、マイクロプリズム１１１に設けられたビームスプリッタ１１１ａによって反射され、ウィンドウガラス１２を通り、コリメータレンズ１３で平行光にされてプリズム１４で反射され、対物レンズ１５に正確に入射し、光ディスク１の信号記録面１ａに集光される。信号記録面１ａで反射された光は再び対物レンズ１５、プリズム１４、コリメータレンズ１３、ウィンドウガラス１２を介して、ビームスプリッタ１１１ａを透過し、マイクロプリズム１１１の下面に形成されたハーフミラー１１１ｂによって透過光と反射光に分岐される。透過光は前側の受光部１１３ａによって正しく受光される。反射光は再びマイクロプリズム１１１の上面に形成された高反射膜１１１ｃによって反射されて、後側の受光部１１３ｂによって正しく受光される。
【００２７】
このように、第１の光源１１２ａを使用するときは、光軸の一致のための対物レンズ１５に対する特別な制御は必要ない。
一方、第２の光源１１２ｂから出射した光は、ビームスプリッタ１１１ａによって反射され、ウィンドウガラス１２、コリメータレンズ１３、プリズム１４を介し、対物レンズ１５に光軸不一致の状態で入射し、光ディスク１の信号記録面１ａに集光される。信号記録面１ａで反射された光は再び対物レンズ１５、プリズム１４、コリメータレンズ１３、ウィンドウガラス１２を介して、ビームスプリッタ１１１ａを透過し、マイクロプリズム１１１の下面に形成されたハーフミラー１１１ｂによって透過光と反射光に分岐される。透過光は前側の受光部１１４ａに入射し、反射光は高反射膜１１１ｃによって反射されて、後側の受光部１１４ｂに入射する。しかしこのとき、受光部１１４ａおよび１１４ｂ上の正しい位置には入射しない。
【００２８】
このため、検出されるトラッキングエラー信号には、光軸不一致によるオフセットが含まれる。そこで、第２の光源１１２ｂを使用するときは、検出されるトラッキングエラー信号に基づいて、対物レンズ１５の駆動機構にエラー訂正の信号、つまり対物レンズ１５の駆動電圧を発生させる命令を送出する。これにより対物レンズ１５は、第２の光源１１２ｂからの光の光軸に一致するように制御され、受光部では正しい検出信号を得ることができる。
【００２９】
また、このような光軸間距離を補償する対物レンズ１５の駆動指令を、あらかじめ測定しておいて、第２の光源１１２ｂを使用するときは常に、この駆動指令による駆動電圧を対物レンズ駆動機構に付加することにしてもよい。この場合、装置の製造工程において対物レンズのトラッキング駆動電圧とトラッキング変位の関係を測定しておく。この結果からトラッキング変位が２つのレーザ光軸間の距離となるときの駆動電圧を得て、これを補償電圧とする。第２の光源１１２ｂが選択されたときは、同時にこの補償電圧を加算するような指令を対物レンズ駆動機構に与える。これにより、第２の光源１１２ｂを使用する場合は、対物レンズ１５はレンズ光軸とレーザ光軸が一致するように変位した位置を基準に駆動され、レーザ光は受光素子に正しく入射する。
【００３０】
さらに、このような光軸一致時の駆動電圧を求める方法として、トラッキングエラー検出方法のプッシュプル法を用いて、対物レンズのトラッキング駆動電圧と第２の光源１１２ｂの光のトラッキングエラー信号との関係の測定値から求めてもよい。
【００３１】
プッシュプル法では、光ディスクの記録面のピットにより回折・反射されて再び対物レンズに入射した光の強度分布が、ピットとレーザ光のスポットとの相対的な位置変化により変化することを利用し、トラックに平行な方向に分割した受光素子を用い、それぞれの差をとることで両極性のトラッキングエラー信号が得られる。つまり、トラッキングが良好な状態であれば、分割された受光素子の検出した光強度の差は０になる。
【００３２】
したがって、ここでは、製造工程において、第２の光源１１２ｂを用いて信号の記録されていない鏡面ディスクを再生し、受光信号より合成したプッシュプルトラッキングエラー信号が０になるときの対物レンズ１５の駆動電圧を測定して、これを補償電圧とする。第２の光源１１２ｂが選択されたときは、同時にこの補償電圧を加算するような指令を対物レンズ駆動機構に与える。これにより、第２の光源１１２ｂを使用する場合は、対物レンズ１５はレンズ光軸とレーザ光軸が一致するように変位した位置を基準に駆動され、レーザ光は受光素子に正しく入射する。
【００３３】
ところで以上の説明では、レーザ光軸と対物レンズ光軸を一方の光と一致させた例について述べたが、両方の光とも対物レンズの光軸と一致させない場合も考えられる。図５に、図４中の矢視Ａによる２光源１１２ａおよび１１２ｂ部分の拡大図を示す。図５（ａ）は一方の光が対物レンズ光軸Ｂと一致している例、（ｂ）は対物レンズ光軸Ｂが２つの光源の中心にある例である。図５（ａ）および（ｂ）では、光源１１２ａおよび１１２ｂを出射した光は、マイクロプリズム１１１に設けられたビームスプリッタ１１１ａによって対物レンズ方向へ反射される。
【００３４】
図５（ａ）の場合には上述したように、第１の光源１１２ａを使用するときは特別な対物レンズ制御をする必要はなく、第２の光源１１２ｂを使用するときのみ、対物レンズの光軸Ｂと一致させるために駆動機構に補償信号を与えた。図５（ｂ）の場合には、どちらの光源を使用するときも、レーザ光軸と対物レンズ光軸Ｂを一致させるための補償信号を駆動機構に与えればよい。
【００３５】
例えば、この補償信号をディスク再生または記録時のトラッキングエラー信号から得る場合は、第１の光源１１２ａを使用するときは受光部１１３ａおよび１１３ｂの検出信号からエラー信号を生成し、第２の光源１１２ｂを使用するときは同様に受光部１１４ａおよび１１４ｂで受光すればよい。対物レンズの光軸Ｂは２光源１１２ａおよび１１２ｂの中心としたので、第２の光源１１２ｂを使用したときの補償信号は、第１の光源１１２ａを使用したときの補償信号の極性を逆にした信号となる。
【００３６】
また補償信号をあらかじめ求めておく場合も同様に、それぞれの光源を使用した場合について対物レンズのトラッキング駆動電圧とトラッキング変位あるいはプッシュプルトラッキングエラー信号の関係を測定し、この値から補償信号を求めればよい。対物レンズの光軸Ｂを２光源１１２ａおよび１１２ｂの中心としたので、一方の光源使用時の補償信号は他方の光源使用時の補償信号の極性を逆にしたものとなる。このように求めた補償信号を、各光源を選択するごとに対物レンズ駆動機構に与えることで、レーザ光軸と対物レンズ光軸は一致し、受光部に正しく入射させることができる。
【００３７】
なお上記の説明では、対物レンズの光軸の位置を２つの光の光軸の中心としたが、必ずしも中心でなく、使用頻度の高い光に近い位置を選択することもできる。
【００３８】
【発明の効果】
以上説明したように、本発明では、波長の異なる２光源を用いた光ピックアップ装置において、レーザ光と対物レンズの光軸間距離を補償する補償信号を対物レンズの駆動手段に与えるようにしたので、光軸ずれのない光学系を実現することができ、簡単な装置構成で、仕様の異なる光ディスクの精度のよい記録あるいは再生ができる。
【図面の簡単な説明】
【図１】本発明の光ディスク装置の主要部の構成を示す図である。
【図２】本発明の光ディスク装置の制御系のブロック図である。
【図３】本発明の２波長光ピックアップ装置の光学系の構成例を示す図である。
【図４】図３における２波長レーザカプラの詳細を示す図である。
【図５】図４の矢視Ａによる２つの光源およびマイクロプリズムの拡大図である。
【図６】従来における２波長光ピックアップ装置の光学系の構成例を示す図である。
【図７】図６における２波長レーザカプラの詳細を示す図である。
【図８】２波長光ピックアップ装置におけるレーザ光軸とホログラムの関係を示す図である。
【符号の説明】
１……光ディスク、１ａ……信号記録面、１０……２波長光ピックアップ装置、１３……コリメータレンズ、１４……プリズム、１５……対物レンズ、１５ａ……駆動手段、１６……光軸間距離補償手段、１１１ａ……ビームスプリッタ、１１２ａ……レーザ光源、１１２ｂ……レーザ光源、１１３……受光部、１１４……受光部
【図１】
0004325042.tif 000002
【図２】
0004325042.tif 000003
【図３】
0004325042.tif 000004
【図４】
0004325042.tif 000005
【図５】
0004325042.tif 000006
【図６】
0004325042.tif 000007
【図７】
0004325042.tif 000008
【図８】
0004325042.tif 000009